【手続補正書】
【提出日】平成17年7月22日(2005.7.22)
【手続補正１】
【補正対象書類名】明細書
【補正対象項目名】特許請求の範囲
【補正方法】変更
【補正の内容】
【特許請求の範囲】
【請求項１】
地層内への弾性波の放射、放射された波に応答して地層から反射される波動の受信機（Ｒ）による受信、およびデータ収集装置によるその取得を含む地震期間の連続する放射−受信サイクル中に得られる地震データを伝送チャネルを介して遠隔ステーション（ＣＳ，ＬＳ）へ返送するための伝送方法において、前記データ収集装置は、前記地震データの取得、格納およびその遠隔ステーションへの伝送に適した複数の捕捉ユニットＡｉを含み、利用可能な伝送チャネルを介して前記期間の放射−受信サイクルの少なくとも部分の間に前記捕捉ユニットにより収集されるデータを伝送するのに要する時間が捕捉ユニットへ割り当てられる伝送窓の持続時間に合致しない場合に、
伝送されるデータのストリームを形成するように、連続する放射−受信サイクル中に得られるデータを、捕捉ユニット（Ａｉ）に含まれる記憶メモリ（９）内へ順序付けて蓄積することと、
一連の伝送ウィンドウの終わりに起りうる伝送遅延を補償するように、蓄積されたデータを連続する伝送ウィンドウ間に分散させながら、前記記憶メモリ（９）を読み出すことにより、複数の捕捉ユニット（Ａｉ）から前記遠隔ステーションへ伝送チャネルを介してこれら格納されたデータストリームを不連続的に転送することと、
を有することを特徴とする伝送方法。
【請求項２】
使用される伝送チャネルを介した前記期間中のある個数ｋの放射−受信サイクル中に利用可能な各伝送チャネルのデータ伝送に要する時間が、これら個数ｋの放射−受信サイクル中に各捕捉ユニット（Ａｉ）へ割り当てられる伝送時間よりも長く、この伝送時間が平均で前記期間のある個数Ｎ（Ｎ＞ｋ）の連続する放射−受信サイクルについて各捕捉ユニット（Ａｉ）へ割り当てられる伝送ウィンドウの持続時間以下になるようにデータが分散される、請求項１に記載の方法。
【請求項３】
放射−受信サイクルの少なくとも所定の部分に等しい格納時間に関連する時間遅延での、各捕捉ユニットから前記遠隔ステーションへのデータストリームの不連続的な転送を含む、請求項２に記載の伝送方法。
【請求項４】
前記転送は、サイクルの全数ｎ（ｎ≧１）に等しい時間遅延で実施され、各放射−受信サイクルのデータ取得中に、品質管理を表すデータを伝送することを更に含む、請求項２もしくは３に記載の伝送方法。
【請求項５】
前記転送が、単一の放射−受信サイクル中に得られる地震データの異なる部分に対して異なる有効時間遅延で実施される請求項２乃至４のいずれか１項に記載の伝送方法。
【請求項６】
捕捉ユニット（Ａｉ）内に蓄積されたデータの少なくとも一部にロス有りもしくはロス無し圧縮を適用することを含む、請求項２乃至５のいずれか１項に記載の伝送方法。
【請求項７】
捕捉ユニット（Ａｉ）内に蓄積されたデータの少なくとも一部を圧縮解除した後に前記遠隔ステーションへ伝送することを更に含む、請求項６に記載の伝送方法。
【請求項８】
割り当てられた各伝送ウィンドウ中に伝送されるデータの一部が品質管理の結果を表す、請求項２乃至７のいずれか１項に記載の伝送方法。
【請求項９】
前記品質管理の結果を表すデータが、取得した地震データのロス無し圧縮により形成される、請求項８に記載の伝送方法。
【請求項１０】
前記品質管理の結果を表すデータが、取得した地震データのロス有り圧縮により形成される、請求項８に記載の方法。
【請求項１１】
さらに、前記遠隔ステーションにおけるデータの圧縮解除を含む、請求項６，９もしくは１０に記載の伝送方法。
【請求項１２】
前記データストリームの不連続的な転送が、付加的な伝送ウィンドウ中に、現場に移動させられた前記大容量記憶装置を任意の順序で任意の時間に前記複数の捕捉ユニットへ連続的に接続し、後にデータを前記大容量記憶装置から前記遠隔ステーションへ転送し、転送されたデータを順序付けすることによって実施される請求項１に記載の伝送方法。
【請求項１３】
地層内への弾性波の伝送と、伝送された波動に応答して前記地層から反射される反射波の受信と、データ収集装置によるその取得とを含む連続する放射−受信サイクル中に得られた地震データを遠隔ステーション（ＲＳ）に伝送するための伝送システムであり、前記データ収集装置は、各捕捉手段を含む捕捉ユニット（Ａｉ）、少なくとも１個のデータ記憶メモリを含む格納手段、前記複数の捕捉ユニットと前記遠隔ステーションとの間で伝送チャネルを介してデータを伝送する手段、および地震データ処理装置（ＰＡ）を含んでおり、
前記処理装置（ＰＡ）内に、連続する放射−受信サイクル中に取得されるデータの記憶メモリ（９）内への順序付けされた蓄積を制御して、伝送されるデータのストリームを形成する手段と、蓄積されたデータをさまざまな捕捉ユニットに割り当てられた伝送ウィンドウ間に分散させて前記記憶メモリ（９）を読み出すことにより、これら蓄積されたデータの前記複数の記憶メモリ（９）から遠隔ステーション（ＣＳ，ＬＳ）への伝送チャネルを介したプログレッシブな転送を制御する手段と、を有し、
前記遠隔ステーション内に、収集され伝送されたさまざまなデータを再構成する手段を有することを特徴とする伝送システム。
【請求項１４】
捕捉ユニット（Ａｉ）内に格納する前に前記データを圧縮し、遠隔ステーション（ＣＳ，ＬＳ）へ伝送する前に前記データを圧縮解除する手段を処理装置（ＰＡ）内に含む、請求項１３に記載のシステム。
【請求項１５】
伝送されるデータを圧縮する手段を処理装置（ＰＡ）内に含み、受信データを圧縮解除する手段を前記遠隔ステーション内に含む、請求項１３に記載のシステム。
【請求項１６】
各捕捉ユニット（Ａｉ）内の処理装置（ＰＡ）は、伝送されるデータにロス有りもしくはロス無し圧縮アルゴリズムを適用するのに適している、請求項１５に記載のシステム。
【請求項１７】
各捕捉ユニット（Ａｉ）内の処理装置（ＰＡ）は、地震受信機が受信するデータに応じて、あるレートのロス無し圧縮を前記地震データに適用するようにプログラムされた信号プロセッサ（７）を含む、請求項１４乃至１６のいずれか１項に記載のシステム。
【請求項１８】
記憶メモリ（９）は、前記地震データを順序付けて格納するためのＦＩＦＯ型メモリを含み、処理装置（ＰＡ）は、利用可能な前記伝送手段に応じたレートで各記憶メモリ（９）の順序付けられた読出しを行うための手段を含み、遠隔ステーション（ＣＳ，ＬＳ）は、伝送された全ての地震データを再構成する手段（１０）を含む、請求項１３乃至１７のいずれか１項に記載のシステム。
【請求項１９】
前記伝送手段（３）は無線手段もしくは伝送ケーブルである、請求項１３乃至１８のいずれか１項に記載のシステム。
【請求項２０】
各捕捉ユニット（Ａｉ）内の処理装置（ＰＡ）は、伝送されるデータに少なくとも一つの圧縮アルゴリズムを適用するのに適した少なくとも１個の信号プロセッサ（７）を含む、請求項１３乃至１９のいずれか１項に記載のシステム。
【請求項２１】
各捕捉ユニット（Ａｉ）内の処理装置（ＰＡ）は、伝送されるデータに少なくとも２つの異なる圧縮アルゴリズムを適用し、より高い圧縮レートを生じるアルゴリズムを用いて、圧縮された地震データを対応する記憶メモリ（９）へ転送するのに適している、請求項１３乃至２０のいずれか１項に記載のシステム。
【請求項２２】
各捕捉ユニット内の処理装置（ＰＡ）は、前記地震データに前処理を適用するのに適している、請求項１３乃至２１のいずれか１項に記載のシステム。
【請求項２３】
前記伝送手段は、複数の捕捉ユニットの近くに移動させられた大容量記憶装置と、少なくとも一つの任意に選択された伝送ウィンドウ中で、まず前記大容量記憶装置を各記憶メモリ（９）に接続して前記各記憶メモリから放出させ、次に前記大容量記憶装置を遠隔ステーションに接続する短距離リンク手段と、を有することを特徴とする、請求項１３記載のシステム。